【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
異なる量のインクを吐出することでサイズの異なるドットを形成可能なインクジェット記録ヘッドを用いて記録を行うインクジェット記録装置において、
前記サイズの異なるドット毎に、インクの吐出動作の回数をカウントするカウント手段と、
前記カウント手段によりカウントした結果に基づいて、前記インクジェット記録ヘッドからのインク吐出量に相当するデータを累積する累積手段と、
前記累積手段により累積されたデータに基づいて前記インクの吐出動作を維持するための処理を実行させる制御手段と、
を具えたことを特徴とするインクジェット記録装置。
【請求項２】
前記吐出動作を維持するための処理は、前記インクジェット記録ヘッドのインク吐出性能を保持するための回復処理と、前記インクジェット記録ヘッドに対するインク供給源のインク残量を検出する処理との少なくとも一方の処理を含むことを特徴とする請求項１に記載のインクジェット記録装置。
【請求項３】
前記回復処理は、前記吐出口からインクを強制的に排出させる排出処理と、前記インクジェット記録ヘッドの前記吐出口が設けられた面を清浄にする清浄化処理との少なくとも一方の処理を含むことを特徴とする請求項２に記載のインクジェット記録装置。
【請求項４】
前記インク残量を検出する処理にあたって前記制御手段は、前記強制排出されるインク量に相当するデータを考慮することを特徴とする請求項３に記載のインクジェット記録装置。
【請求項５】
前記排出処理は前記吐出口からインクを吸引する吸引処理を含み、前記清浄化処理は前記面をワイピングする処理を含むことを特徴とする請求項３に記載のインクジェット記録装置。
【請求項６】
前記インクジェット記録ヘッドの同一の吐出口から吐出するインクの量を変更させるインク吐出量変更手段をさらに有し、
前記インク吐出量変更手段は前記インクジェット記録ヘッドに対し記録媒体上に少なくとも大小２種類のドットを形成可能とさせるべく吐出するインク量の変更を行い、
前記累積手段は、大きなサイズのドットを形成するための吐出動作の回数、および小さなサイズのドットを形成するための吐出動作の回数を前記カウント手段により各別にカウントした結果を、吐出するインクの量に対応させて累積することを特徴とする請求項１ないし５のいずれかに記載のインクジェット記録装置。
【請求項７】
前記インクジェット記録ヘッドの同一の吐出口から吐出するインクの量を変更させるインク吐出量変更手段をさらに有し、
前記インク吐出量変更手段は前記インクジェット記録ヘッドに対し記録媒体上に少なくとも大小２種類のドットを形成可能とさせるべく変更を行い、
前記累積手段は、大きなサイズのドットを形成するための吐出動作に対応したデータおよび小さなサイズのドットを形成するための吐出動作に対応したデータを、前記カウント手段により、合わせてカウントすることを特徴とする請求項１ないし５のいずれかに記載のインクジェット記録装置。
【請求項８】
前記インクジェット記録ヘッドは、インクを吐出するために利用されるエネルギとして熱エネルギを発生する発熱抵抗体であって実質的に発熱量の異なるものを複数、または実質的に発熱量の等しいものを複数、前記吐出口に対応して有することを特徴とする請求項６または７に記載のインクジェット記録装置。
【請求項９】
前記インク吐出量変更手段は、前記複数の発熱抵抗体を選択的に駆動することにより前記変更を行うことを特徴とする請求項８に記載のインクジェット記録装置。
【請求項１０】
前記発熱抵抗体は前記インクに膜沸騰を生じさせる熱エネルギを発生することを特徴とする請求項８または９に記載のインクジェット記録装置。
【請求項１１】
異なる量のインクを吐出することでサイズの異なるドットを形成可能なインクジェット記録ヘッドを用いて記録を行うインクジェット記録装置の制御方法において、
前記サイズの異なるドット毎に、インクの吐出動作の回数をカウントするカウント工程と、
前記カウント工程によりカウントした結果に基づいて、前記インクジェット記録ヘッドからのインク吐出量に相当するデータを累積する累積工程と、
前記累積工程により累積されたデータに基づいて前記インクの吐出動作を維持するための処理を実行させる制御工程と、
を具えたことを特徴とするインクジェット記録装置の制御方法。
【請求項１２】
前記吐出動作を維持するための処理は、前記インクジェット記録ヘッドのインク吐出性能を保持するための回復処理と、前記インクジェット記録ヘッドに対するインク供給源のインク残量を検出する処理との少なくとも一方の処理を含むことを特徴とする請求項１１に記載のインクジェット記録装置の制御方法。
【請求項１３】
前記回復処理は、前記吐出口からインクを強制的に排出させる排出処理と、前記インクジェット記録ヘッドの前記吐出口が設けられた面を清浄にする清浄化処理との少なくとも一方の処理を含むことを特徴とする請求項１２に記載のインクジェット記録装置の制御方法。
【請求項１４】
前記インク残量を検出する処理にあたって前記制御工程では、前記強制排出されるインク量に相当するデータを考慮することを特徴とする請求項１３に記載のインクジェット記録装置の制御方法。
【請求項１５】
前記排出処理は前記吐出口からインクを吸引する吸引処理を含み、前記清浄化処理は前記面をワイピングする処理を含むことを特徴とする請求項１３に記載のインクジェット記録装置の制御方法。
【請求項１６】
前記インクジェット記録ヘッドの同一の吐出口から吐出するインクの量を変更させるインク吐出量変更工程をさらに有し、
前記インク吐出量変更工程では前記インクジェット記録ヘッドに対し記録媒体上に少なくとも大小２種類のドットを形成可能とさせるべく吐出するインク量の変更を行い、前記累積工程は、大きなサイズのドットを形成するための吐出動作の回数、および小さなサイズのドットを形成するための吐出動作の回数を前記カウント工程により各別にカウントした結果を、吐出するインクの量に対応させて累積するドットカウント工程を有することを特徴とする請求項１１ないし１５のいずれかに記載のインクジェット記録装置の制御方法。
【請求項１７】
前記インクジェット記録ヘッドの同一の吐出口から吐出するインクの量を変更させるインク吐出量変更工程をさらに有し、
前記インク吐出量変更工程では前記インクジェット記録ヘッドに対し記録媒体上に少なくとも大小２種類のドットを形成可能とさせるべく変更を行い、
前記累積工程は、大きなサイズのドットを形成するための吐出動作に対応したデータおよび小さなサイズのドットを形成するための吐出動作に対応したデータを、前記カウント手段により、合わせてカウントすることを特徴とする請求項１１ないし１５のいずれかに記載のインクジェット記録装置の制御方法。
【請求項１８】
前記インクジェット記録ヘッドは、インクを吐出するために利用されるエネルギとして熱エネルギを発生する発熱抵抗体であって実質的に発熱量の異なるものを複数、または実質的に発熱量の等しいものを複数、前記吐出口に対応して有することを特徴とする請求項１６または１７に記載のインクジェット記録装置の制御方法。
【請求項１９】
前記インク吐出量変更工程では、前記複数の発熱抵抗体を選択的に駆動することにより前記変更を行うことを特徴とする請求項１８に記載のインクジェット記録装置の制御方法。
【手続補正２】
【補正対象書類名】明細書
【補正対象項目名】００２２
【補正方法】変更
【補正の内容】
【００２２】
【課題を解決するための手段】
そのような弊害を防止するために、本発明は、異なる量のインクを吐出することでサイズの異なるドットを形成可能なインクジェット記録ヘッドを用いて記録を行うインクジェット記録装置において、前記サイズの異なるドット毎に、インクの吐出動作の回数をカウントするカウント手段と、前記カウント手段によりカウントした結果に基づいて、前記インクジェット記録ヘッドからのインク吐出量に相当するデータを累積する累積手段と、
前記累積手段により累積されたデータに基づいて前記インクの吐出動作を維持するための処理を実行させる制御手段と、を具えたことを特徴とする。
【手続補正３】
【補正対象書類名】明細書
【補正対象項目名】００２３
【補正方法】変更
【補正の内容】
【００２３】
また、本発明は、異なる量のインクを吐出することでサイズの異なるドットを形成可能なインクジェット記録ヘッドを用いて記録を行うインクジェット記録装置の制御方法において、前記サイズの異なるドット毎に、インクの吐出動作の回数をカウントするカウント工程と、前記カウント手段によりカウントした結果に基づいて、前記インクジェット記録ヘッドからのインク吐出量に相当するデータを累積する累積工程と、前記累積工程により累積されたデータに基づいて前記インクの吐出動作を維持するための処理を実行させる制御工程と、を具えたことを特徴とする。
【手続補正４】
【補正対象書類名】明細書
【補正対象項目名】００２８
【補正方法】変更
【補正の内容】
【００２８】
前記インクジェット記録ヘッドの同一の吐出口から吐出するインクの量を変更させるインク吐出量変更手段またはインク吐出量変更工程をさらに有し、前記インク吐出量変更手段またはインク吐出量変更工程では、前記インクジェット記録ヘッドに対し記録媒体上に少なくとも大小２種類のドットを形成可能とさせるべく吐出するインク量の変更を行い、前記累積手段または前記累積工程では、大きなサイズのドットを形成するための吐出動作の回数、および小さなサイズのドットを形成するための吐出動作の回数を前記カウント手段または前記カウント工程により各別にカウントした結果を、吐出するインクの量に対応させて累積するものとすることができる。
【手続補正５】
【補正対象書類名】明細書
【補正対象項目名】００２９
【補正方法】変更
【補正の内容】
【００２９】
あるいは、前記インク吐出量変更手段または前記インク吐出量変更工程では、前記インクジェット記録ヘッドに対し記録媒体上に少なくとも大小２種類のドットを形成可能とさせるべく変更を行い、前記累積手段または前記累積工程では、大きなサイズのドットを形成するための吐出動作に対応したデータおよび小さなサイズのドットを形成するための吐出動作に対応したデータを、前記カウント手段または前記カウント工程により、合わせてカウントすることができる。